(57)【要約】【課題】演出出力機器とサブ制御基板とを収容した遊技機の制御装置において、メンテナンス時に、演出出力機器をそのままの状態でサブ制御基板のみを取り外すことができるようにする。【解決手段】演出出力機器を内部に収容して遊技機に取付け可能に形成された収容ケース１２０と、サブ制御基板１５０を内部に収容する制御ベース１８０及び制御カバー２１０とを備え、収容ケース１２０が遊技機に取り付けられた状態でサブ制御基板１５０を収容ケース１２０から分離可能とした遊技機の制御装置であって、収容ケース１２０と制御ベース１８０とは、取付フック１３０とフック受け１９０とにより分離可能に連結され、サブ制御基板１５０は、制御ベース１８０及び制御カバー２１０内でボス１３２及び１８４に固定される。【選択図】        図４
2004215838.tif 000002
【特許請求の範囲】
【請求項１】
遊技中の演出を出力するための演出出力機器と、
前記演出出力機器を収容し、遊技機側に取付け可能に形成された第１収容ケースと、
前記演出出力機器を制御する演出制御基板と、
前記演出制御基板を収容するとともに、前記第１収容ケースに連結される第２収容ケースと
を備え、
前記第１収容ケースが遊技機に取り付けられた状態で、前記第２収容ケース及び前記演出制御基板を、前記第１収容ケースから分離可能とした遊技機の制御装置であって、
前記第１収容ケースと前記第２収容ケースとは、いずれか一方側に設けられた係合部と、他方側に設けられた被係合部とが係合することにより、分離可能に連結され、
前記第１収容ケースは、前記第２収容ケースに連結される面側に、第１取付部を備え、
前記第２収容ケースは、前記第１収容ケースとの連結時に前記第１収容ケースの前記第１取付部が前記第２収容ケース内に案内されるように形成されているとともに、第２取付部を備え、
前記演出制御基板は、前記第２収容ケース内において、前記第１取付部及び前記第２取付部に固定される
ことを特徴とする遊技機の制御装置。
【発明の詳細な説明】
【０００１】
【発明の属する技術分野】
本発明は、遊技中の演出を出力するための演出出力機器と、この演出出力機器を制御する演出制御基板を収容した遊技機の制御装置に関し、メンテナンスの効率化を図る技術に関するものである。
【０００２】
【従来の技術】
従来の弾球遊技機やスロットマシン等の遊技機において、出玉に関する制御は、メイン制御基板によって行われている。したがって、メイン制御基板や、このメイン制御基板に実装されている制御ＲＯＭは、正規品以外のものの使用を禁止することが要求される。このため、メイン制御基板はケース内に収容されるとともに、ケースの不正開放を禁止するための種々の手段が講じられている。
例えば第１例として、締付け方向にのみ回転し、緩める方向には回転しないワンウェイネジを用いて基板ケースを封止する（メイン制御基板をケース内に封印後、ケースをかしめたもの）が知られている（例えば、特許文献１参照）。
【０００３】
また第２例として、メイン制御基板をケース内に収容した後に、ケースの開閉部分に封印シールを貼付し、ケースを開放したときには、封印シールが破壊されるようにすることで、開放痕が残るようにしたものが知られている（例えば、特許文献２参照）。
【０００４】
【特許文献１】
特開平１１−２２６２２０号公報
【特許文献２】
特開２００１−２２８８００号公報
【０００５】
【発明が解決しようとする課題】
しかし、近年の遊技機では、メイン制御基板以外にも、出玉に関する制御を実質的に行うサブ制御基板（演出制御基板）が設けられる場合がある。したがって、サブ制御基板についても、メイン制御基板と同様にケース内に収容して、ケースの開放を禁止する必要がある。
【０００６】
しかし、演出出力機器として例えば液晶表示装置を用いるとともに、この液晶表示装置を制御するサブ制御基板（液晶制御基板）を液晶表示装置と共にケースに収容した制御装置を遊技機に取り付けた場合において、メンテナンス（修理・保守）時に、サブ制御基板のみを遊技機側から取り外すことが困難になってしまうという問題がある。このような場合に、サブ制御基板のみを交換したいときであっても、液晶表示装置を含む制御装置全体を遊技機から取り外す必要があるという問題がある。このため、液晶表示装置とサブ制御基板とを一体でケース内に収容したものについては、メンテナンスが不便であるという問題がある。
【０００７】
また、近年リサイクルの観点から遊技機の機種変更をする際、新たなパネル、基板等のみを交換して再利用可能な部品はそのまま使用するリユースの動きがある。従来はリユースの際、制御装置全体を取り外し、新たなＲＯＭが備えられている制御装置と交換する。しかし、新しく取り付ける制御装置、及び回収した制御装置を運搬する際、振動、衝撃などで高価で精密部品である液晶本体（演出出力機器）が故障してしまい、コスト、リユース、及びホール営業の支障をきたしていた。
【０００８】
したがって、本発明が解決しようとする課題は、演出出力機器とサブ制御基板とをケース内に収容した遊技機の制御装置において、メンテナンス時に、演出出力機器をそのままの状態にして、サブ制御基板のみを取り外すことができるようにすることである。
【０００９】
【課題を解決するための手段】
本発明は、以下の解決手段によって、上述の課題を解決する。なお、以下の解決手段中に示すかっこ書は、その解決手段が対応する本実施形態である。
本発明は、遊技中の演出を出力するための演出出力機器（液晶Ａｓｓｙ６０）と、前記演出出力機器を収容し、遊技機側に取付け可能に形成された第１収容ケース（収容ケース１２０）と、前記演出出力機器を制御する演出制御基板（サブ制御基板１５０）と、前記演出制御基板を収容するとともに、前記第１収容ケースに連結される第２収容ケース（制御ベース１８０及び制御カバー２１０）とを備え、前記第１収容ケースが遊技機（スロットマシン１）に取り付けられた状態で、前記第２収容ケース及び前記演出制御基板を、前記第１収容ケースから分離可能とした遊技機の制御装置であって、前記第１収容ケースと前記第２収容ケースとは、いずれか一方側に設けられた係合部（取付フック１３０）と、他方側に設けられた被係合部（フック受け１９０）とが係合することにより、分離可能に連結され、前記第１収容ケースは、前記第２収容ケースに連結される面側に、第１取付部（ボス１３２）を備え、前記第２収容ケースは、前記第１収容ケースとの連結時に前記第１収容ケースの前記第１取付部が前記第２収容ケース内に案内されるように形成されている（開口部１８１及び長穴１８３を備える）とともに、第２取付部（ボス１８４）を備え、前記演出制御基板は、前記第２収容ケース内において、前記第１取付部及び前記第２取付部に固定されることを特徴とする。
【００１０】
本発明においては、第１収容ケースの第１取付部は、第２収容ケース内に案内されるように形成されている。そして、演出制御基板は、第２収容ケース内に案内された第１収容ケースの第１取付部と、第２収容ケースの第２取付部とに取り付けられる。したがって、遊技機に演出出力機器及び第１収容ケースが取り付けられている状態で、演出制御基板さらには第２収容ケースを制御装置から分離することが可能となる。これにより、演出出力機器を遊技機から取り外すことなく演出制御基板のみを取り外すことができるようになる。
【００１１】
【発明の実施の形態】
以下、図面等を参照して、本発明の一実施形態について説明する。
（第１実施形態）
図１は、本発明による遊技機の第１実施形態であるスロットマシン１全体を示す前面の正面図である。また、図２は、図１中、スロットマシン１のフロントマスク部２０を開放し、筐体１０の内部が見えるように図示した正面図である。
（遊技機（スロットマシン））
図１及び図２に示すように、スロットマシン１の筐体１０は、基体部３０と、基体部３０の前面に取り付けられるフロントマスク部２０とから構成されている。
【００１２】
フロントマスク部２０は、基体部３０の前面を開閉可能に取り付けられ、筐体１０の前面部を構成するものである。
フロントマスク部２０は、図１に示すように、前面側（遊技者側）に、遊技の進行上必要なスタートスイッチ３０１やストップスイッチ３０２等の操作部や、メダル投入口３０３、メダル受け皿３０４等が配置されている。また、フロントマスク部２０の前面上側には、開口部２２が形成されているとともに、この開口部２２には、図２に示すように、フロントマスク部２０の裏面側から制御装置５０が取り付けられている。そして、開口部２２から、制御装置５０の画像表示面（後述する液晶Ａｓｓｙ６０の画像表示面）が見えるように配置されている。
【００１３】
なお、図１に示すように、開口部２２の両側には、複数の長穴を並設した開口部２３が形成されている。また、図２に示すように、この開口部２３の裏面側には、スピーカ３１０が取り付けられている。
【００１４】
一方、基体部３０は、木材等を組み立てて前面が開口された形状に形成したものである。この基体部３０の内部には、メイン制御基板３０６、リールユニット３０５、メダルを貯留しておくホッパーを含むメダル払出し装置３０８、及び電源ユニット３０９等がそれぞれ所定位置に配置されている。
【００１５】
本実施形態のリールユニット３０５は、並設された３つのリール３０５ａを備え、この位置に対応するフロントマスク部２０の中央部には、透明な表示窓２１が設けられている。そして、この表示窓２１から３つのリール３０５ａが透視できるように構成されている。また、メイン制御基板３０６は、遊技の進行等、遊技全体を統括制御するための制御基板であり、図示しないが、演算等を行うＣＰＵ、遊技プログラムを記憶したＲＯＭ、及びデータを一時的に記憶するＲＡＭ等を備えるものである。メイン制御基板３０６は、リールユニット３０５の上方に配置されており、ケース３０７内に収容されている。ケース３０７は、メイン制御基板３０６を収容した後にかしめられており、メイン制御基板３０６を封印している。
【００１６】
（制御装置）
制御装置５０は、遊技の進行を制御するための装置であるが、特に本実施形態では、遊技の進行に伴い、遊技中に出力する演出を制御するための装置である。図３は、制御装置５０を分解して示す外観斜視図である。
【００１７】
制御装置５０は、液晶アッセンブリ（以下、「液晶Ａｓｓｙ」という。）６０と、収容ケース１２０と、制御ベース１８０と、サブ制御基板１５０と、制御カバー２１０とから構成されている。なお、図３では、制御装置５０の液晶Ａｓｓｙ６０の左側前方面が画像表示面であり、この面が、図１中、フロントマスク部２０の開口部２２から露出している。
【００１８】
以下、制御装置５０について、液晶Ａｓｓｙ６０、収容ケース１２０、制御ベース１８０、サブ制御基板１５０及び制御カバー２１０について説明する。
なお、以下の説明においては、図３を例に挙げると、制御装置５０の液晶Ａｓｓｙ６０側を前面側又は前方側と定義し、その反対側（制御カバー２１０側）を背面側又は後方側と定義する。また、図３中、収容ケース１２０を例にとると、切欠き開口部１２６側を上面側又は上方側と定義し、その反対側を下面側又は下方側と定義する。
【００１９】
（液晶Ａｓｓｙ）
液晶Ａｓｓｙ６０は、本発明における演出出力機器に相当するものであり、本実施形態では、遊技中における演出を画像表示として出力するものである。図３に示すように、液晶Ａｓｓｙ６０は、前方側に設けられた液晶本体６１と、後方側に設けられた液晶ケース６２とを備え、略箱形に形成されている。また、図示しないが、液晶Ａｓｓｙ６０の内部には、各部品を固定するベース部材や、液晶制御基板等が収容されている。
【００２０】
液晶本体６１は、表示器として液晶を用いたディスプレイであり、表面がほぼ長方形状をなす薄板状に形成され、液晶Ａｓｓｙ６０の前面を構成するように配置されている。
また、液晶Ａｓｓｙ６０の上面前側には、図３に示すように、複数の穴を並設した空気穴６３が設けられている。なお、図３では図示していないが、空気穴６３は、下面側にも同様に設けられており、液晶本体６１から発せられる熱を上下方向に逃がすように形成されている。
【００２１】
さらにまた、上面及び下面には、それぞれ２箇所に円筒状のボス６４が設けられている（図３では、上面の２箇所のボス６４のみが図示されている）。このボス６４の中心部にはネジ穴６４ａが形成されている。
【００２２】
また、液晶ケース６２の上面には、ファン穴６２ａが形成されている。ここで、液晶Ａｓｓｙ６０の内部には、ファン（図示せず）が実装されている。そして、このファンの上部にファン穴６２ａが配置されるように構成されている。また、図示しないが、液晶ケース６２の下面には、ファン穴６２と対向する位置に空気穴が形成されている。これにより、液晶Ａｓｓｙ６０では、内部に実装されたファンが回転されると、液晶ケース６２の下面の空気穴から内部に空気を取り込むとともに、上面のファン穴６２ａから排出されることで、冷却が行われる。
【００２３】
（収容ケース）
収容ケース１２０は、本発明における第１収容ケースに相当するものである。収容ケース１２０は、液晶Ａｓｓｙ６０を内部に収容可能なように、図３中、前面側が開口されたものである。
図４は、収容ケース１２０と、制御ベース１８０と、サブ制御基板１５０と、制御カバー２１０とを後方側から見た斜視図である。また、図５は、収容ケース１２０をより詳細に示す図であり、（Ａ）は側面図、（Ｂ）は正面図を示す。
収容ケース１２０は、正面壁１２０ａ、上壁１２０ｂ、下壁１２０ｃ、左側壁１２０ｄ及び右側壁１２０ｅを備える。
【００２４】
正面壁１２０ａには、開口部１２２及び１２３が形成されている。これらの開口部１２２及び１２３は、液晶Ａｓｓｙ６０が内部に収容されたときに、液晶Ａｓｓｙ６０の背面に露出しているコネクタ（図示せず）をそれぞれ露出させるためのものである。したがって、収容ケース１２０に液晶Ａｓｓｙ６０が収容されたときに、液晶Ａｓｓｙ６０の上記コネクタがそれぞれ開口部１２２及び１２３の領域内に配置される。
【００２５】
また、収容ケース１２０には、正面壁１２０ａと下壁１２０ｃとの双方にわたって形成された空気穴１２１が設けられている。
この空気穴１２１のうち正面壁１２０ａに形成された部分は、液晶Ａｓｓｙ６０が内部に収容されたときに、液晶Ａｓｓｙ６０の背面から発せられる熱をできる限り収容ケース１２０の背面側に逃がすためのものである。また、空気穴１２１のうち下壁１２０ｃに形成された部分は、制御装置５０内に空気を取り込むときの吸気口となるものである。
【００２６】
さらにまた、図４に示すように、上壁１２０ｂ及び正面壁１２０ａには、両者にまたがるように、複数の長穴から構成された空気穴１２５が形成されている。
さらに、図３及び図４に示すように、上壁１２０ｂには、略Ｕ形に切り欠いた切欠き開口部１２６が形成されている。この切欠き開口部１２６は、液晶Ａｓｓｙ６０が内部に収容されたとときに、液晶Ａｓｓｙ６０の上面のファン穴６２ａを露出させるように形成されており、制御装置５０の排気口となるものである。
【００２７】
左側壁１２０ｄ及び右側壁１２０ｅには、それぞれ２箇所に左側壁１２０ｄ及び右側壁１２０ｅに垂直な壁状の取付部１２４が設けられている。さらに、この取付部１２４は、図５に示すように、略Ｕ形に形成されたリブ部１２４ａと、このリブ部１２４ａによって囲まれる領域の略中心位置に形成された穴１２４ｂとを備える。取付部１２４は、制御装置５０をスロットマシン１のフロントマスク部２０に取り付けるためのものである。
【００２８】
また、上壁１２０ｃ及び下壁１２０ｃの内側には、それぞれ２箇所に液晶Ａｓｓｙ取付部１２７が形成されている。液晶Ａｓｓｙ取付部１２７は、図３に示すように、略Ｕ形の領域を有するとともに、その領域においては、高さを一段低くしたものである。また、図３に示すように、上壁１２０ｂ側の液晶Ａｓｓｙ取付部１２７には、穴１２８ａが形成されている。さらにまた、下壁１２０ｃ側の液晶Ａｓｓｙ取付部１２７には、図３に示すように、正面壁１２０ａから液晶Ａｓｓｙ取付部１２７の領域内にまで延在する長穴１２８ｂが形成されている。
【００２９】
さらに、左側壁１２０ｄ及び右側壁１２０ｅの内側には、液晶Ａｓｓｙ６０をガイドするためのガイドリブ１２９が形成されている。また、正面壁１２０ａにおいて、空気穴１２１の両側には、取付フック（本発明における係合部に相当するもの）１３０が設けられている。取付フック１３０は、正面壁１２０ａの背面から制御ベース１８０側に突出するとともに、略Ｌ形に形成され、上方に向かって延在する形状に形成されている。
【００３０】
また、正面壁１２０ａの裏面側において、上側の２角部には、制御ベース１８０側に突出するボス１３２（本発明における第１取付部に相当するもの）が形成されている。このボス１３２の先端部は、その先端部以外の外径より径の小さい嵌合部１３２ａが設けられている。さらにまた、ボス１３２には、ネジ穴１３２ｂが形成されている。
【００３１】
（制御ベース）
図６は、制御ベース１８０及び制御カバー２１０を示す図であり、（Ａ）は側面図、（Ｂ）は正面図を示す。なお、制御ベース１８０及び制御カバー２１０は、内部にサブ制御基板１５０を収容するものであって、本発明における第２収容ケースに相当するものである。
【００３２】
制御ベース１８０は、板状の正面壁１８０ａと、その外周に形成された外周壁１８０ｂとを備える。
正面壁１８０ａには、２つの開口部１８１及び１８２が形成されている。これらの開口部１８１及び１８２は、収容ケース１２０の開口部１２２及び１２３に対応するものであり、収容ケース１２０の背面に制御ベース１８０が重なり合うと、収容ケース１２０の開口部１２２及び１２３とそれぞれ重なり合うように配置されている。
【００３３】
また、正面壁１８０ａの裏面側において、蝶番部１８５（後述）側の２角部には、ボス１８４（本発明における第２取付部に相当するもの）が設けられている。このボス１８４は、上述した収容ケース１２０の正面壁１２０ａに形成されたボス１３２と同一形状のものである。さらにまた、ボス１８４の近傍には、それぞれ略四角形状に開口されたフック受け（本発明における被係合部に相当するもの）１９０が形成されている。このフック受け１９０は、収容ケース１２０側に形成された取付フック１３０と係合するものである。
【００３４】
さらに、正面壁１８０ａの角部のうち、ボス１８４及び開口部１８１が形成されていない１角部には、小判状の長穴１８３が形成されている。この長穴１８３の短手方向の開口長さは、収容ケース１２０側に形成されたボス１３２が貫通可能な大きさに形成されている。
【００３５】
制御ベース１８０の外周壁１８０ｂのうち、図３中、上側には、２箇所にフック部１８７が形成されている。このフック部１８７は、図３、図４、及び図６（Ａ）に示すように、上方から見て略凹状体をなすとともに、側面から見て略Ｌ形をなす基体１８７ａを備え、外周壁１８０ｂに連結されている。さらにフック部１８７の先端部には、凸状の爪部１８７ｂが設けられている。フック部１８７は、外周壁１８０ｂとの連結部を支点としてある程度のたわみが可能に形成されている。
また、外周壁１８０ｂにおいて、フック部１８７の内側近傍には、凹状に形成された締結部１８６が設けられている。
【００３６】
さらに、外周壁１８０ｂのうち、図３中、下側には、蝶番部１８５が設けられている。蝶番部１８５は、図６に示すように、略円筒状に形成された軸部１８５ａと、この軸部１８５ａの内側に形成され、２箇所を略長方形状に開口させた開口部１８５ｂとを備える。蝶番部１８５は、制御カバー２１０との連結に用いられるものである。
【００３７】
なお、正面壁１８０ａの裏面側には、図４及び図６に示すように、円筒状のガイド部１８８及び１８９が所定位置に設けられている。これらのガイド部１８８及び１８９は、サブ制御基板１５０が制御ベース１８０と制御カバー２１０との間に収容されたときに、サブ制御基板１５０と所定の間隙を隔ててサブ制御基板１５０の下面に位置し、サブ制御基板１５０が上面から押されたときに、一定以上のたわみを防止するためのものである。特に、ガイド部１８９は、サブ制御基板１５０の制御ＲＯＭ１５２（後述）が実装された部分のほぼ真下に位置するように設けられている。
【００３８】
（サブ制御基板（演出制御基板））
サブ制御基板１５０は、本発明における液晶Ａｓｓｙ６０（演出出力機器）を制御する演出制御基板に相当するものである。本実施形態におけるサブ制御基板１５０は、サウンドの出力、ランプ類の点灯、液晶Ａｓｓｙ６０による画像表示等の制御を行うものであり、上述したメイン制御基板３０６と同様に、ＣＰＵ、ＲＯＭ、及びＲＡＭ等を備えている。なお、上述のメイン制御基板３０６は、遊技全体を統括制御するものであるが、サブ制御基板１５０は、メイン制御基板３０６の下位に属する基板であり、演出の全体の制御を担当する制御基板である。
サブ制御基板１５０には、図３及び図４に示すように、４角部に取付用の穴１５１が形成されている。
【００３９】
（制御カバー）
制御カバー２１０は、サブ制御基板１５０の上面側を覆うカバーであり、サブ制御基板１５０側が開口された、略箱形に形成されている。
制御カバー２１０には、上壁２１０ｂと正面壁２１０ａとの双方にわたるように、及び正面壁２１０ａと下壁２１０ｃとの双方にわたるように、複数の長穴から構成された空気穴２１１及び２１２がそれぞれ形成されている。
【００４０】
また、正面壁２１０ａには、断面が凹状に形成されるとともにサブ制御基板１５０側に凸となったガイド部２１３が形成されている。このガイド部２１３は、その先端がサブ制御基板１５０に実装される制御ＲＯＭ１５２上に位置するように形成されている。また、正面壁２１０ａには、２箇所に、２段の中空筒状体からなる封止部２１７が設けられている。
【００４１】
また、図４及び図６に示すように、制御カバー２１０の上壁２１０ｂ、右側壁２１０ｅ、下壁２１０ｃ、及び左側壁２１０ｄには、それぞれ凹状に切り欠いた切欠き部２１８、２１９、２２０、及び２２１が形成されている。これらの切欠き部２１８〜２２１は、サブ制御基板１５０のコネクタ類（図示せず）を露出させ、サブ制御基板１５０のコネクタに接続されるハーネスを、制御カバー２１０外に出すためのものである。
【００４２】
また、制御カバー２１０の下壁２１０ｃには、２箇所に、上述の制御ベース１８０の蝶番部１８５と嵌合する蝶番部２１４が設けられている。蝶番部２１４は、図６に示すように、一定間隔を隔てて配置されるとともに側面から見て円弧状に形成された２つの支持部２１４ａと、正面から見て２つの支持部２１４ａ間に配置されたリブ状の支持部２１４ｂとから構成されている。これらの支持部２１４ａ及び２１４ｂにより、蝶番部２１４には、側面から見て円筒状の空隙が形成されており、この部分に制御ベース１８０の蝶番部１８５の軸部１８５ａが入り込み可能となっている。
【００４３】
さらに、上壁２１０ｂには、２つの突起部２１６が設けられている。突起部２１６は、側面から見て略直角三角形状に形成されている。突起部２１６は、制御ベース１８０のフック部１８７に設けられた爪部１８７ｂと係合するためのものである。
また、この突起部２１６の内側近傍であって、制御ベース１８０の締結部１８６に対応する位置、すなわち制御ベース１８０と制御カバー２１０とが嵌合したときに、制御ベース１８０の締結部１８６に重なり合う位置には、締結部１８６と同様の締結部２１５が設けられている。
【００４４】
次に、制御装置５０の組立てについて説明する。図７は、組立後の制御装置５０を示す側面図（一部断面図）である。
先ず、図３に示す方向で、液晶Ａｓｓｙ６０が収容ケース１２０内に収容される。液晶Ａｓｓｙ６０の上面及び下面には、上述したように、ボス６４が突出している。
そして、液晶Ａｓｓｙ６０を収容ケース１２０内に収容する際には、液晶Ａｓｓｙ６０のボス６４が収容ケース１２０の上壁１２０ｂ及び下壁１２０ｃにそれぞれ形成された液晶Ａｓｓｙ取付部１２７内に入り込むようにする。
【００４５】
液晶Ａｓｓｙ６０を収容ケース１２０内に挿入する（スライド移動させる）と、ボス６４が液晶Ａｓｓｙ取付部１２７内に入り込んだ状態で移動され、ボス６４が液晶Ａｓｓｙ取付部１２７の一番奥まで到達した位置で停止する。
この位置が、液晶Ａｓｓｙ６０の収容ケース１２０内での取付位置となる。また、液晶Ａｓｓｙ６０の左右両側面は、収容ケース１２０の左側壁１２０ｄ及び右側壁１２０ｅにそれぞれ設けられたガイドリブ１２９により支持される。
【００４６】
よって、液晶Ａｓｓｙ６０を収容ケース１２０に取り付けるための位置決めを行うときには、ボス６４が液晶Ａｓｓｙ取付部１２７内に入り込むようにするとともに、液晶Ａｓｓｙ６０を収容ケース１２０内に押し込むようにスライド移動させるだけで良いので、液晶Ａｓｓｙ６０の収容ケース１２０への位置決めを容易に行うことができる。
【００４７】
さらに、ボス６４が液晶Ａｓｓｙ取付部１２７の一番奥まで到達すると、液晶Ａｓｓｙ取付部１２７に形成された穴１２８ａ及び長穴１２８ｂと、ボス６４に形成されたネジ穴６４ａとが重なり合う。よって、４箇所ともに、穴１２８ａ及び長穴１２８ｂからネジを挿入し、ボス６４のネジ穴６４ａにネジ止めすれば、液晶Ａｓｓｙ６０は、収容ケース１２０に固定される。
【００４８】
液晶Ａｓｓｙ６０が収容ケース１２０に収容されたときには、液晶Ａｓｓｙ６０のファン穴６２ａは、収容ケース１２０の切欠き開口部１２６によって外部に露出する。また、液晶Ａｓｓｙ６０の下面側に形成されている不図示の空気穴は、収容ケース１２０の空気穴１２１によって露出する。
さらにまた、液晶Ａｓｓｙ６０の前面側の一部は、収容ケース１２０から突出した状態となり、液晶Ａｓｓｙ６０に設けられた空気穴６３は、収容ケース１２０外に露出する。
【００４９】
さらに、図３及び図４に示す方向で、収容ケース１２０の背面に制御ベース１８０が取り付けられる（現時点では、サブ制御基板１５０及び制御カバー２１０は、未だ取り付けられていない）。
図８（ａ）、（ｂ）は、それぞれ、制御ベース１８０を収容ケース１２０に取り付ける前後の係合状態を示す側面の断面図である。
【００５０】
先ず、図８（ａ）に示すように、収容ケース１２０の取付フック１３０と制御ベース１８０のフック受け１９０とが対向するように、かつ収容ケース１２０のボス１３２と、制御ベース１８０の長穴１８３及び開口部１８１とが対向するように、制御ベース１８０を収容ケース１２０に対して配置する。そして、取付フック１３０をフック受け１９０に貫通させ、かつボス１３２を開口部１８１及び長穴１８３に貫通させる。これにより、ボス１３２の先端側は、開口部１８１及び長穴１８３により、制御ベース１８０の背面側に案内される。
【００５１】
そして、収容ケース１２０に対して制御ベース１８０を下方側に移動させると、取付フック１３０とフック受け１９０の上側外縁とが当接し、図８（ｂ）に示す状態となる。これにより、制御ベース１８０が収容ケース１２０に対して位置決めされる。なお、収容ケース１２０に対して制御ベース１８０を下方側に移動させても、ボス１３２は、長穴１８３及び開口部１８１内で移動することができる。
【００５２】
以上により、制御ベース１８０の背面側に、制御ベース１８０に設けられた２つのボス１８４と、収容ケース１２０側の２つのボス１３２とが突出した状態となる。
次に、制御ベース１８０の裏面側から、サブ制御基板１５０が図４に示す方向で取り付けられる。制御ベース１８０の裏面側にサブ制御基板１５０が載置されると、制御ベース１８０の背面側から突出したボス１３２及び１８４と、サブ制御基板１５０に形成された穴１５１とが重なり合う。
【００５３】
ここで、ボス１３２の嵌合部１３２ａ及びボス１８４の嵌合部１８４ａは、サブ制御基板１５０の穴１５１を貫通するが、ボス１３２の嵌合部１３２ａ及びボス１８４の嵌合部１８４ａ以外の部分は穴１５１を貫通しない。これにより、サブ制御基板１５０は、ボス１３２及び１８４によって支持され、位置決めされる。そして、図８（ｂ）に示すように、サブ制御基板１５０の下側の２箇所の穴１５１からネジＳを挿入し、ボス１８４に形成されたネジ穴（ボス１３２のネジ穴１３２ｂと同様のもの）によってネジ止めすれば、サブ制御基板１５０が固定される。
【００５４】
次いで、図４に示す方向で、制御カバー２１０が取り付けられる。この取付けは、制御ベース１８０の蝶番部１８５と制御カバー２１０の蝶番部２１４とを嵌合させることにより行う。図６において、制御ベース１８０の蝶番部１８５の開口部１８５ｂに、制御カバー２１０の蝶番部２１０の支持部２１４ａを挿入する。そして、蝶番部１８５の軸部１８５ａが、蝶番部２１０の支持部２１４ａ及び２１４ｂにより回転可能に支持されるように嵌合させる。
これにより、制御カバー２１０は、蝶番部２１４を支点として、制御ベース１８０に対して回転可能に支持される（図７参照）。
【００５５】
制御カバー２１０を制御ベース１８０に取り付けた後、制御ベース１８０に対して制御カバー２１０を回動させ、図７に示すように、制御カバー２１０を制御ベース１８０に重なり合うようにする。これにより、制御ベース１８０のフック部１８７に設けられた爪部１８７ｂが制御カバー２１０の突起部２１６に当接するが、さらに制御カバー２１０を回動させると、フック部１８７がたわみ、フック部１８７の爪部１８７ｂが突起部２１６を乗り越え、爪部１８７ｂが突起部２１６の後方に配置される。これにより、フック部１８７と突起部２１６とが係合する。
【００５６】
また、上述のように制御カバー２１０が固定されると、図７に示すように、制御カバー２１０に設けられたガイド部２１３は、サブ制御基板１５０上に実装された制御ＲＯＭ１５２に近接する。これにより、例えば制御カバー２１０に形成された切欠き部２１８、２１９、２２０、及び２２１等から棒等を挿入し、制御ＲＯＭ１５２を抜こうとしても、制御カバー２１０が取り付けられた状態では、制御ＲＯＭ１５２を抜くことができない。したがって、制御カバー２１０の不正な開放を防止しておけば、制御ＲＯＭ１５２が正規品以外のものに取り替えられてしまうことを防止することができる。
【００５７】
次に、図８（ｂ）に示すように、制御カバー２１０の背面側から封止部２１７内にネジＳを挿入し、封止部２１７の穴２１７ｅ及びサブ制御基板１５０の穴１５１を貫通させて、制御カバー２１０の封止部２１７と、収容ケース１２０のボス１３２とを連結する。
これにより、制御カバー２１０、サブ制御基板１５０及び収容ケース１２０が一体で固定される。
【００５８】
そして、このネジ止め後は、図３に示すように、キャップ２４０を封止部２１７内に装着し、ネジＳを覆うようにする。キャップ２４０は、外部からの操作によって制御カバー２１０の封止部２１７から取り外すことができないように装着される。
【００５９】
キャップ２４０が封止部２１７内に装着されると、ネジＳのネジ頭はキャップ２４０によって覆われるので、ネジＳを緩める操作を行うことができなくなる。これにより、制御カバー２１０を開放することができなくなるので、サブ制御基板１５０や制御ＲＯＭ１５２が不正に交換されること等を防止することができる。
【００６０】
一方、キャップ２４０の表面の状態を目視により判別することで（破壊されているか否かを見ることで）、ネジＳの解除操作が行われたか否かを容易に判別することができる。また、キャップ２４０には、破壊、変形時に白化を起こす樹脂等、破壊、変形履歴が明らかに認識できる材質を使用することが好ましい。
【００６１】
また、制御カバー２１０、サブ制御基板１５０及び収容ケース１２０のボス１３２が一体でネジＳにて固定されたときには、制御ベース１８０の締結部１８６と、制御カバー２１０の締結部２１５とが隣接するように配置される。したがって、締結部１８６及び２１５の双方に締結バンド（図示せず）を通して、両者を締結することも可能である。これにより制御ベース１８０と制御カバー２１０との開放をさらに困難にすることができる。
【００６２】
以上のように組み立てられた制御装置５０は、図２に示すように、フロントマスク部２０の裏面側に取り付けられる。図７では、取付部１２４に防振ゴム２４が嵌合された状態を示すとともに、フロントマスク部２０の裏面側に設けられたボス２５を併せて図示している。
防振ゴム２４は、図７に示すように、取付部１２４のリブ部１２４ａの内部に配置されるとともに穴１２４ｂ内に入り込み可能な形状（外径の異なる２段の筒状体からなる形状）をなし、中心部に穴２４ａが形成されたものである。
【００６３】
フロントマスク部２０の開口部２２から、制御装置５０の液晶Ａｓｓｙ６０の前面が露出するように制御装置５０をフロントマスク部２０の裏面側に配置したときに、収容ケース１２０の取付部１２４の略Ｕ形に形成されたリブ部１２４ａに対応する位置に、ボス２５が配置される。なお、図示しないが、ボス２５にはネジ穴が形成されている。
そして、防振ゴム２４を介して、図７中、左側から取付部１２４の穴１２４ｂ（防振ゴム２４の穴２４ａ）にネジ（図示せず）を挿入し、ボス２５にネジ止めすれば、制御装置５０がフロントマスク部２０に固定される。
【００６４】
なお、防振ゴム２４を用いることなく制御装置５０をフロントマスク部２０にネジ止めすることも可能であるが、防振ゴム２４を用いることにより、スロットマシン１からの振動を、制御装置５０に伝わりにくくすることができる。
【００６５】
次に、メンテナンス時における、サブ制御基板１５０の取外しについて説明する。
サブ制御基板１５０のメンテナンスが必要な場合には、ドライバーの先端でキャップ２４０の表面を強く突き刺す。キャップ２４０の表面は、薄肉状に形成されており、ドライバー等で破壊される。よって、ドライバーは、キャップ２４０及び封止部２１７内を通過することが可能となる。したがって、ドライバーの先端をネジＳのネジ頭まで到達させることができるので、ネジＳの締結を解除して、制御ベース１８０のフック部１８７と制御カバー２１０の突起部２１６との係合を解除すれば、制御カバー２１０を回動させることで開放することができるようになる。
【００６６】
これにより、サブ制御基板１５０を露出させることができる。また、この状態では、サブ制御基板１５０は、２箇所でボス１８４にネジＳでネジ止めされている状態であるので、この２箇所のボス１８４のネジＳを取り外せば、サブ制御基板１５０のみを取り外すことができる。したがって、液晶Ａｓｓｙ６０及び収容ケース１２０は、スロットマシン１のフロントマスク部２０に取り付けた状態で、サブ制御基板１５０のみを取り外すことができる。すなわち、サブ制御基板１５０のメンテナンス時には、液晶Ａｓｓｙ６０を含めた制御装置５０全体をスロットマシン１から取り外す必要がない。したがって、メンテナンスの効率化を図ることができる。
【００６７】
例えば、サブ制御基板１５０のメンテナンス時に、液晶Ａｓｓｙ６０を含めて制御装置５０全体を取り外して、メンテナンスを行う場所まで搬送（輸送）すると、その搬送中に、液晶Ａｓｓｙ６０が故障してしまうおそれがあるが、サブ制御基板１５０のみを取り外して搬送すれば、そのような故障のおそれを全くなくすことができる。
【００６８】
また、サブ制御基板１５０を取り外した後は、制御ベース１８０は、取付フック１３０及びフック受け１９０のみによって収容ケース１２０と係合している。したがって、制御ベース１８０を収容ケース１２０に係合させたときと逆の操作を行い、取付フック１３０とフック受け１９０との係合を解除すれば、制御ベース１８０を収容ケース１２０から分離することができる。
【００６９】
なお、上述のようにキャップ２４０の表面を破壊し、サブ制御基板１５０のメンテナンスを行った後は、新たな制御カバー２１０を用いて、上述のように再度、制御カバー２１０をネジ止めし、キャップ２４０を装着すれば良い。このようにサブ制御基板１５０のメンテナンスの際にキャップ２４０と制御カバー２１０を交換することにより、不正行為の実施を困難にすることが可能となる。
【００７０】
また、上述のような構成にすれば、例えば外形の異なった液晶Ａｓｓｙ６０等寸法の異なった演出出力機器に仕様変更する際、従来のようなサブ制御基板と演出出力機器を一体に収容するケース構造ではケースを新規作成する必要があったが、本実施形態では演出出力機器を収容するケースのみを新規作成するだけで良く、サブ制御基板を収容するケースは流用する事が可能となる。また、仕様の異なった演出出力機器と変更互換も容易になるので製造コスト、在庫管理等が大変有利である。
【００７１】
（第２実施形態）
続いて、第２実施形態について説明する。第２実施形態では、後述するボス部１３４と２２２とからなる交換履歴手段を設けたことにより、サブ制御基板１５０のメンテナンスを何回行ったかを知ることができるようにするとともに、不正行為の牽制を行うようにしたものである。
図９は、本発明の第２実施形態を示す斜視図であり、図４と同様に、背面側から見た図である。なお、第２実施形態において、第１実施形態と異なる部分については、第１実施形態で示した符号に「Ａ」を付した符号を付けている。
【００７２】
第２実施形態の液晶Ａｓｓｙ６０Ａ（図示せず）は、第１実施形態の液晶Ａｓｓｙ６０より、横幅が短く形成されたものである。
このため、第２実施形態の収容ケース１２０Ａは、第２実施形態の液晶Ａｓｓｙ６０Ａを収容したときに、上述したガイドリブ１２９が液晶Ａｓｓｙ６０Ａの両側側面を支持できるように収容ケース１２０Ａを形成する必要があるため、図９に示すように収容ケース１２０Ａに凹部１３３を形成し、収容ケース１２０Ａの横方向の内寸を液晶Ａｓｓｙ６０Ａに合わせている。
【００７３】
また、収容ケース１２０Ａの左側壁１２０ｄ及び右側壁１２０ｅ（図９では、左側壁１２０ｄのみを図示している）には、第１実施形態と異なる形状の取付部１２４Ａが設けられている。さらに、左側壁１２０ｄには、それぞれ上下方向に所定間隔で並設された４つのボス部１３４が設けられている。ボス部１３４は、ネジ穴１３４ａが形成された筒状体であり、リブ部１３４ｂを介して左側壁１２０ｄに連結されている。
【００７４】
これに対し、制御カバー２１０Ａの左側壁２１０ｄには、貫通穴２２２ａが形成されたボス部２２２が設けられている。このボス部２２２は、左側壁２１０ｄにおいて、上下方向に所定間隔で４つ並設されている。また、各ボス部２２２は、２箇所がリブ部２２２ｂにより左側壁２１０ｄに連結されている。
【００７５】
以上の構成において、第１実施形態と同様に、収容ケース１２０Ａと、第１実施形態と同一の制御ベース１８０とを係合させた後、サブ制御基板１５０をネジ止めし、さらに制御カバー２１０Ａを取り付けると、収容ケース１２０Ａの各ボス部１３４と制御カバー２１０Ａの各ボス部２２２とがそれぞれほぼ接触するように配置され、ボス部２２２の貫通穴２２２ａとボス部１３４のネジ穴１３４ａとが連通する状態となる。
【００７６】
そして、例えば最上段に位置する１つのボス部２２２の貫通穴２２２ａからワンウェイネジ（図示せず）を挿入し、ボス部１３４のネジ穴１３４ａにネジ止めする。すなわち、ワンウェイネジによって収容ケース１２０Ａと制御カバー２１０Ａとをネジ止めすることで、そのワンウェイネジを緩めて両者を分離することができないようにする。
なお、上記のネジ止めは、１箇所のボス部１３４及び２２２のみについて行う。
【００７７】
第２実施形態において、メンテナンス時にサブ制御基板１５０を取り外すときには、上述した第１実施形態での操作に加えて、ワンウェイネジにてネジ止めされているボス部２２２のリブ部２２２ｂを制御カバー２１０Ａの左側壁２１０ｄから切断する。これにより、図９に示すように、ボス部２２２は、ボス部１３４に一体となったままで制御カバー２１０Ａから分離される。これにより、制御カバー２１０Ａを収容ケース１２０Ａから分離することが可能となる。
そして、サブ制御基板１５０のメンテナンスを行い、再度、装着するときには、切断されていないボス部２２２のうち、最上部に位置するボス部２２２を用いて上記と同様にワンウェイネジにてネジ止めする。
【００７８】
以上のようにして、サブ制御基板１５０のメンテナンスを行うごとに、ボス部２２２を切断し、メンテナンスの完了時には切断されていない他のボス部２２２を用いてネジ止めする。これにより、ボス部２２２が何個切断されているかを見ることで、サブ制御基板１５０のメンテナンスを何回行ったかを（交換履歴を）知ることができる。したがって、正規以外のサブ制御基板１５０や制御ＲＯＭ１５２の交換等の不正行為を牽制することができる。
【００７９】
なお、ボス部２２２のリブ部２２２ｂを制御カバー２１０Ａから切断した後は、そのボス部２２２はワンウェイネジにてボス部１３４に結合されたままである。そこで、図９中、２点鎖線で示すように、ボス部１３４のリブ部１３４ｂを収容ケース１２０Ａから切断すれば、交換履歴をより容易に判別することができるようになる。
【００８０】
以上、本発明の一実施形態について説明したが、本発明は、上述した実施形態に限定されることなく、例えば以下のような種々の変形が可能である。
（１）本実施形態の制御装置５０は、遊技機の１つとしてスロットマシン１に適用した例を示したが、スロットマシン１に限らず、弾球遊技機や、アレンジボール、雀球遊技機等の種々の遊技機に広く適用することができる。
【００８１】
（２）本実施形態では、演出制御基板としてサブ制御基板１５０を例に挙げたが、これに限られることなく、遊技中における演出を制御するための基板であれば、いかなる基板であっても良い。例えば、液晶Ａｓｓｙ６０の画像表示を制御する画像制御基板等が挙げられる。
また、演出出力機器として、本実施形態では液晶Ａｓｓｙ６０を挙げたが、これに限られることなく、種々の演出出力機器について本発明を適用することができる。
【００８２】
【発明の効果】
本発明によれば、演出出力機器を遊技機から取り外すことなく演出制御基板のみを取り外すことができる。これにより、メンテナンス時に演出制御基板のみを交換するときに、そのメンテナンスを効率良く行うことができる。また、演出出力機器を取り外すことなく演出制御基板のメンテナンスを行うことができるので、メンテナンスが不要な演出出力機器を取り外したことに起因する故障等のおそれを全くなくすことができる。
【図面の簡単な説明】
【図１】本発明による遊技機の一実施形態であるスロットマシン全体を示す前面の正面図である。
【図２】図１中、スロットマシンのフロントマスク部を開放し、筐体内部が見えるように図示した正面図である。
【図３】制御装置を分解して示す外観斜視図である。
【図４】収容ケース、制御ベース、サブ制御基板、及び制御カバーを背面側から示す外観斜視図である。
【図５】収容ケースをより詳細に示す図であり、（Ａ）は側面図、（Ｂ）は正面図を示す。
【図６】制御ベース及び制御カバーを示す図であり、（Ａ）は側面図、（Ｂ）は正面図を示す。
【図７】組立後の制御装置を示す側面図（一部断面図）である。
【図８】収容ケースと制御ベースとの係合状態を説明する側面の断面図である。
【図９】本発明の第２実施形態を示す斜視図である。
【符号の説明】
１  スロットマシン
１０  筐体
２０  フロントマスク部
２１  表示窓
２２、２３  開口部
２４  防振ゴム
２５  ボス
３０  基体部
５０  制御装置
６０  液晶アッセンブリ（液晶Ａｓｓｙ）
６１  液晶本体
６２  液晶ケース
６２ａ  ファン穴
６３  空気穴
６４  ボス
６４ａ  ネジ穴
１２０、１２０Ａ  収容ケース（第１収容ケース）（１２０ａ  正面壁、１２０ｂ  上壁、１２０ｃ  下壁、１２０ｄ  左側壁、１２０ｅ  右側壁）
１２１  空気穴
１２２、１２３  開口部
１２４、１２４Ａ  取付部
１２４ａ  リブ部
１２４ｂ  穴
１２５  空気穴
１２６  切欠き開口部
１２７  液晶Ａｓｓｙ取付部
１２８ａ  穴
１２８ｂ  長穴
１２９  ガイドリブ
１３０  取付フック（係合部）
１３２  ボス（第１取付部）
１３２ａ  嵌合部
１３２ｂ  ネジ穴
１３３  凹部
１３４  ボス部
１３４ａ  ネジ穴
１３４ｂ  リブ部
１５０  サブ制御基板（演出制御基板）
１５１  穴
１８０  制御ベース（第２収容ケース）（１８０ａ  正面壁、１８０ｂ  外周壁）
１８１、１８２  開口部
１８３  長穴
１８４  ボス（第２取付部）
１８５  蝶番部
１８５ａ  軸部
１８５ｂ  開口部
１８６  締結部
１８７  フック部
１８７ａ  基体
１８７ｂ  爪部
１８８、１８９  ガイド部
１９０  フック受け（被係合部）
２１０、２１０Ａ  制御カバー（第２収容ケース）（２１０ａ  正面壁、２１０ｂ  上壁、２１０ｃ  下壁、２１０ｄ  左側壁、２１０ｅ  右側壁）
２１１、２１２  空気穴
２１３  ガイド部
２１４  蝶番部
２１４ａ、２１４ｂ  支持部
２１５  締結部
２１６  突起部
２１７  封止部
２１７ｅ  穴
２１８、２１９、２２０、２２１  切欠き部
２２２  ボス部
２２２ａ  貫通穴
２２２ｂ  リブ部
２４０  キャップ
３０１  スタートスイッチ
３０２  ストップスイッチ
３０３  メダル投入口
３０４  メダル受け皿
３０５  リールユニット
３０５ａ  リール
３０６  メイン制御基板
３０７  ケース
３０８  メダル払出し装置
３０９  電源ユニット
３１０  スピーカ
Ｓ  ネジ
【図１】
2004215838.tif 000003
【図２】
2004215838.tif 000004
【図３】
2004215838.tif 000005
【図４】
2004215838.tif 000006
【図５】
2004215838.tif 000007
【図６】
2004215838.tif 000008
【図７】
2004215838.tif 000009
【図８】
2004215838.tif 000010
【図９】
2004215838.tif 000011